(57)【特許請求の範囲】
【請求項１】
ケーシング本体の樹脂通路を直角に貫通して摺動棒が摺動自在とされ、前記ケーシング本体の樹脂通路は入口主通路と出口主通路からなり、前記摺動棒に複数の中通路が棒の長さ方向に間隔を存して設けられる流体用スクリーンチェンジャにおいて、
前記摺動棒の隣り合う中通路の間隔は、一方中通路が閉鎖される前に他方中通路が開口されるように定められ、
前記中通路に挿入された１または複数の有底濾過筒と、
前記ケーシング本体において、前記入口主通路に対し摺動棒の摺動方向の両側で、前記本体の摺動棒孔の内面から前記本体の外面に至る排出通路と、
前記出口主通路に対し、摺動棒の摺動方向の両側で、前記出口主通路から、前記本体の摺動棒孔の内面に至る出口補助通路と、
前記排出通路または前記出口補助通路に設けられた２方切換弁とが設けられたことを特徴とする流体用スクリーンチェンジャ。
【請求項２】
ケーシング本体の先端本体にある樹脂通路を直角に貫通して摺動棒が摺動自在とされ、前記ケーシング本体の樹脂通路は入口主通路と出口主通路からなり、前記摺動棒に複数の中通路が棒の長さ方向に間隔を存して設けられる流体用スクリーンチェンジャにおいて、
前記摺動棒の隣り合う中通路の間隔は、一方中通路が閉鎖される前に他方中通路が開口されるように定められ、
前記中通路に挿入された１または複数の有底濾過筒と、
前記ケーシング本体において、前記入口主通路に対し摺動棒の摺動方向の両側で、前記本体の摺動棒孔の内面から前記本体の外面に至る排出通路と、
前記摺動棒の出口主通路側で、前記中通路間に連通した出口補助通路と、
前記排出通路に設けられた２方切換弁とが設けられたことを特徴とする流体用スクリーンチェンジャ。
【請求項３】
ケーシング本体にある樹脂通路を直角に貫通して摺動棒が摺動自在とされ、前記ケーシング本体の樹脂通路は入口主通路と出口主通路からなり、前記摺動棒に複数の中通路が棒の長さ方向に間隔を存して設けられる流体用スクリーンチェンジャにおいて、
前記摺動棒の隣り合う中通路の間隔は、一方中通路が閉鎖される前に他方中通路が開口されるように定められ、
前記中通路に挿入された１または複数の有底濾過筒と、
前記ケーシング本体において、前記入口主通路に対し摺動棒の摺動方向の両側で、前記本体の摺動棒孔の内面から前記本体の外面に至る排出通路と、
前記摺動棒の入口主通路側で、前記中通路間に連通した入口補助通路と、
前記出口主通路に対し、摺動棒の摺動方向の両側で、前記出口主通路から、前記本体の摺動棒孔の内面に至る出口補助通路と、
前記排出通路または前記出口補助通路に設けられた２方切換弁とが設けられたことを特徴とする流体用スクリーンチェンジャ。
【請求項４】
ケーシング本体にある樹脂通路を直角に貫通して摺動棒が摺動自在とされ、前記先端本体の樹脂通路は入口主通路と出口主通路からなり、前記摺動棒に複数の中通路が棒の長さ方向に間隔を存して設けられる流体用スクリーンチェンジャにおいて、
前記摺動棒の隣り合う中通路の間隔は、一方中通路が閉鎖される前に他方中通路が開口されるように定められ、
前記中通路に挿入された１または複数の有底濾過筒と、
前記ケーシング本体において、前記入口主通路に対し摺動棒の摺動方向の両側で、前記本体の摺動棒孔の内面から前記本体の外面に至る排出通路と、
前記摺動棒の入口主通路側で、前記中通路間に連通した入口補助通路と、
前記摺動棒の出口主通路側で、前記中通路間に連通した出口補助通路と、
前記排出通路に設けられた２方切換弁とが設けられたことを特徴とする流体用スクリーンチェンジャ。
【請求項５】
ケーシング本体にある樹脂通路を直角に貫通して摺動棒が摺動自在とされ、前記先端本体の樹脂通路は入口主通路と出口主通路からなり、前記摺動棒に複数の中通路が棒の長さ方向に間隔を存して設けられる流体用スクリーンチェンジャおいて、
前記摺動棒の隣り合う中通路の間隔は、一方中通路が閉鎖される前に他方中通路が開口されるように定められ、
前記中通路に挿入された１または複数の有底濾過筒と、
前記ケーシング本体において、前記入口主通路に対し摺動棒の摺動方向の両側で、前記入口主通路から、前記本体の摺動棒孔の内面に至る入口補助通路と、
前記出口主通路に対し、摺動棒の摺動方向の両側で、前記出口主通路から、前記本体の摺動棒孔の内面に至る出口補助通路と、
前記入口補助通路から前記本体の外面に至る排出通路と、
前記入口補助通路と前記排出通路との接続箇所に設けられた３方切換弁とが設けられたことを特徴とする流体用スクリーンチェンジャ。
【請求項６】
ケーシング本体にある樹脂通路を直角に貫通して摺動棒が摺動自在とされ、前記先端本体の樹脂通路は入口主通路と出口主通路からなり、前記摺動棒に複数の中通路が棒の長さ方向に間隔を存して設けられる流体用スクリーンチェンジャにおいて、
前記摺動棒の隣り合う中通路の間隔は、一方中通路が閉鎖される前に他方中通路が開口されるように定められ、
前記中通路に挿入された１または複数の有底濾過筒と、
前記先端本体において、前記入口主通路に対し摺動棒の摺動方向の両側で、前記入口主通路から、前記本体の摺動棒孔の内面に至る入口補助通路と、
前記摺動棒の出口主通路側で、前記中通路間に連通した出口補助通路と、
前記入口補助通路から前記本体の外面に至る排出通路と、
前記入口補助通路と前記排出通路との接続箇所に設けられた３方切換弁とが設けられたことを特徴とする流体用スクリーンチェンジャ。
【請求項７】
前記摺動棒の中通路は、該摺動棒の直径を通る直線上に貫通したことを特徴とする請求項１ないし６項のいずれか１項記載の流体用スクリーンチェンジャ。
【請求項８】
前記摺動棒の中通路は、該摺動棒の直径上断面で方向転換する曲線上に貫通したことを特徴とする請求項１ないし６項のいずれか１項記載の流体用スクリーンチェンジャ。
【請求項９】
前記有底濾過筒は補強多孔筒と、その外周または内周または中間に張られたスクリーンとを含む請求項１ないし６項のいずれか１項記載の流体用スクリーンチェンジャ。
【請求項１０】
前記有底濾過筒は多数の濾過孔をもつ筒体からなることを特徴とする請求項１ないし８項のいずれか１項記載の流体用スクリーンチェンジャ。
【請求項１１】
前記ケーシング本体において、前記有底濾過筒が逆洗位置に来たときの、逆洗流体の入口側が対向する部分に連通して設けられた強制排出手段とを含む請求項１ないし１０項のいずれか１項記載の流体用スクリーンチェンジャ。
【請求項１２】
ケーシング本体の樹脂通路を直角に貫通して摺動棒が摺動自在とされ、前記ケーシング本体の樹脂通路は入口主通路と出口主通路からなり、前記摺動棒に複数の中通路が棒の長さ方向に間隔を存して設けられ、該中通路に多孔板とスクリーンがはめ込まれている流体用スクリーンチェンジャにおいて、  前記摺動棒の隣り合う中通路の間隔は、一方中通路が閉鎖される前に他方中通路が開口されるように定められ、
前記ケーシング本体において、前記入口主通路に対し摺動棒の摺動方向の両側で、前記本体の摺動棒孔の内面から前記本体の外面に至る排出通路と、
前記出口主通路に対し、摺動棒の摺動方向の両側で、前記出口主通路から、前記本体の摺動棒孔の内面に至る出口補助通路と、
前記排出通路または前記出口補助通路に設けられた２方切換弁と、
前記ケーシング本体において、前記多孔板とスクリーンが逆洗位置に来たときの、逆洗流体の入口側が対向する部分に連通して設けられた強制排出手段とを含むことを特徴とする流体用スクリーンチェンジャ。
【発明の詳細な説明】
【０００１】
【産業上の利用分野】
本発明は、例えばプラスチックの押出成形に使用され、スクリュー式樹脂溶融装置（押出機）のスクリュー先端部に設けられ、流体の異物除去用スクリーンの交換装置に関する。
【０００２】
【従来の技術】
通常において押出機は連続運転されるが、長時間連続運転することにより溶融した樹脂に含まれている不純物や未溶融物がスクリーンに目詰まりを起こし、生産に支障をきたす。このため、一定時間後に必ずスクリーンを交換する必要がある。このため図１のように、スクリーンＰ４を取り付けた多孔板Ｐ３（一般にブレーカープレートと呼ぶ）を設置した摺動棒Ｐ２を油圧等によりスライドさせ、新しいスクリーンを取り付けたブレーカープレートと交換する装置が用いられていた。
【０００３】
【発明が解決しようとする課題】
このような従来のスクリーン交換装置では、目詰まりしたスクリーンを交換するため、スクリーンを装置の外に出さなければならない。このため、交換するスクリーン相互間の距離が長くなり、交換のためにスライドさせる過程で樹脂通路が一時的に閉塞され、押出機シリンダー内の樹脂圧が異常に上昇し機械の損傷を招く。このため、成形装置を一時停止する必要があった。
【０００４】
このような装置の一時停止をさけるため、図２のように、２組の摺動棒Ｐ２を持った交換装置が使用される場合があった。しかし、この場合は装置が複雑になると共に、価格面でも高価なものとなる。
【０００５】
そこで、本発明は上記従来技術のような問題を解決し、スクリーン交換中にも樹脂通路が閉鎖されないスクリーン交換装置を提供することを目的とする。
【０００６】
【課題を解決するための手段】
上記課題を解決するため、本発明の構成は次のとおりとする。即ち、第１構成は、ケーシング本体の樹脂通路を直角に貫通して摺動棒が摺動自在とされ、前記ケーシング本体の樹脂通路は入口主通路と出口主通路からなり、前記摺動棒に複数の中通路が棒の長さ方向に間隔を存して設けられる流体用スクリーンチェンジャにおいて、前記摺動棒の隣り合う中通路の間隔は、一方中通路が閉鎖される前に他方中通路が開口されるように定められ、前記中通路に挿入された１または複数の有底濾過筒と、前記ケーシング本体において、前記入口主通路に対し摺動棒の摺動方向の両側で、前記本体の摺動棒孔の内面から前記本体の外面に至る排出通路と、前記出口主通路に対し、摺動棒の摺動方向の両側で、前記出口主通路から、前記本体の摺動棒孔の内面に至る出口補助通路と、前記排出通路または前記出口補助通路に設けられた２方切換弁とが設けられたことである。
【０００７】
第２構成は、ケーシング本体の先端本体にある樹脂通路を直角に貫通して摺動棒が摺動自在とされ、前記ケーシング本体の樹脂通路は入口主通路と出口主通路からなり、前記摺動棒に複数の中通路が棒の長さ方向に間隔を存して設けられる流体用スクリーンチェンジャにおいて、前記摺動棒の隣り合う中通路の間隔は、一方中通路が閉鎖される前に他方中通路が開口されるように定められ、前記中通路に挿入された１または複数の有底濾過筒と、前記ケーシング本体において、前記入口主通路に対し摺動棒の摺動方向の両側で、前記本体の摺動棒孔の内面から前記本体の外面に至る排出通路と、前記摺動棒の出口主通路側で、前記中通路間に連通した出口補助通路と、前記排出通路に設けられた２方切換弁とが設けられたことである。
【０００８】
第３構成は、ケーシング本体にある樹脂通路を直角に貫通して摺動棒が摺動自在とされ、前記ケーシング本体の樹脂通路は入口主通路と出口主通路からなり、前記摺動棒に複数の中通路が棒の長さ方向に間隔を存して設けられる流体用スクリーンチェンジャにおいて、前記摺動棒の隣り合う中通路の間隔は、一方中通路が閉鎖される前に他方中通路が開口されるように定められ、前記中通路に挿入された１または複数の有底濾過筒と、前記ケーシング本体において、前記入口主通路に対し摺動棒の摺動方向の両側で、前記本体の摺動棒孔の内面から前記本体の外面に至る排出通路と、前記摺動棒の入口主通路側で、前記中通路間に連通した入口補助通路と、前記出口主通路に対し、摺動棒の摺動方向の両側で、前記出口主通路から、前記本体の摺動棒孔の内面に至る出口補助通路と、前記排出通路または前記出口補助通路に設けられた２方切換弁とが設けられたことである。
【０００９】
第４構成は、ケーシング本体にある樹脂通路を直角に貫通して摺動棒が摺動自在とされ、前記先端本体の樹脂通路は入口主通路と出口主通路からなり、前記摺動棒に複数の中通路が棒の長さ方向に間隔を存して設けられる流体用スクリーンチェンジャにおいて、前記摺動棒の隣り合う中通路の間隔は、一方中通路が閉鎖される前に他方中通路が開口されるように定められ、前記中通路に挿入された１または複数の有底濾過筒と、前記ケーシング本体において、前記入口主通路に対し摺動棒の摺動方向の両側で、前記本体の摺動棒孔の内面から前記本体の外面に至る排出通路と、前記摺動棒の入口主通路側で、前記中通路間に連通した入口補助通路と、前記摺動棒の出口主通路側で、前記中通路間に連通した出口補助通路と、前記排出通路に設けられた２方切換弁とが設けられたことである。
【００１０】
第５構成は、ケーシング本体にある樹脂通路を直角に貫通して摺動棒が摺動自在とされ、前記先端本体の樹脂通路は入口主通路と出口主通路からなり、前記摺動棒に複数の中通路が棒の長さ方向に間隔を存して設けられる流体用スクリーンチェンジャおいて、前記摺動棒の隣り合う中通路の間隔は、一方中通路が閉鎖される前に他方中通路が開口されるように定められ、前記中通路に挿入された１または複数の有底濾過筒と、前記ケーシング本体において、前記入口主通路に対し摺動棒の摺動方向の両側で、前記入口主通路から、前記本体の摺動棒孔の内面に至る入口補助通路と、前記出口主通路に対し、摺動棒の摺動方向の両側で、前記出口主通路から、前記本体の摺動棒孔の内面に至る出口補助通路と、前記入口補助通路から前記本体の外面に至る排出通路と、前記入口補助通路と前記排出通路との接続箇所に設けられた３方切換弁とが設けられたことである。
【００１１】
第６構成は、ケーシング本体にある樹脂通路を直角に貫通して摺動棒が摺動自在とされ、前記先端本体の樹脂通路は入口主通路と出口主通路からなり、前記摺動棒に複数の中通路が棒の長さ方向に間隔を存して設けられる流体用スクリーンチェンジャにおいて、前記摺動棒の隣り合う中通路の間隔は、一方中通路が閉鎖される前に他方中通路が開口されるように定められ、前記中通路に挿入された１または複数の有底濾過筒と、前記先端本体において、前記入口主通路に対し摺動棒の摺動方向の両側で、前記入口主通路から、前記本体の摺動棒孔の内面に至る入口補助通路と、前記摺動棒の出口主通路側で、前記中通路間に連通した出口補助通路と、前記入口補助通路から前記本体の外面に至る排出通路と、前記入口補助通路と前記排出通路との接続箇所に設けられた３方切換弁とが設けられたことである。
【００１２】
第７構成は、第１ないし第６構成のいずれか１項に加え、前記摺動棒の中通路は、該摺動棒の直径を通る直線上に貫通したことである。
【００１３】
第８構成は、第１ないし第６構成のいずれか１項に加え、前記摺動棒の中通路は、該摺動棒の直径上断面で方向転換する曲線上に貫通したことである。
【００１４】
第９構成は、第１ないし第６構成のいずれか１項に加え、前記有底濾過筒は補強多孔筒と、その外周または内周または中間に張られたスクリーンとを含むことである。
【００１５】
第１０構成は、第１ないし第８構成のいずれか１項に加え、前記有底濾過筒は多数の濾過孔をもつ筒体からなることである。
【００１６】
第１１構成は、第１ないし第１０構成のいずれか１項に加え、前記ケーシング本体において、前記有底濾過筒が逆洗位置に来たときの、逆洗流体の入口側が対向する部分に連通して設けられた強制排出手段とを含むことである。
【００１７】
第１２構成は、ケーシング本体の樹脂通路を直角に貫通して摺動棒が摺動自在とされ、前記ケーシング本体の樹脂通路は入口主通路と出口主通路からなり、前記摺動棒に複数の中通路が棒の長さ方向に間隔を存して設けられ、該中通路に多孔板とスクリーンがはめ込まれている流体用スクリーンチェンジャにおいて、  前記摺動棒の隣り合う中通路の間隔は、一方中通路が閉鎖される前に他方中通路が開口されるように定められ、前記ケーシング本体において、前記入口主通路に対し摺動棒の摺動方向の両側で、前記本体の摺動棒孔の内面から前記本体の外面に至る排出通路と、前記出口主通路に対し、摺動棒の摺動方向の両側で、前記出口主通路から、前記本体の摺動棒孔の内面に至る出口補助通路と、前記排出通路または前記出口補助通路に設けられた２方切換弁と、前記ケーシング本体において、前記多孔板とスクリーンが逆洗位置に来たときの、逆洗流体の入口側が対向する部分に連通して設けられた強制排出手段とを含むことである。
【００１８】
【作用】
運転状態において、樹脂は入口主通路，中通路，スクリーン，多孔板，出口主通路を通過している。入口主通路と出口主通路の部分の圧力差により、樹脂の一部は入口補助通路，３方向切換弁，中通路，出口補助通路を通過し、スクリーン，多孔板，中通路の樹脂滞留を防止している。
【００１９】
スクリーンが異物により目詰まりした場合は、摺動棒を移動させ、スクリーンを切り換える。この移動途中で２個の中通路は主通路内に同時に開口するため、樹脂はスクリーンの両方を同時に通過する。従って樹脂通路が完全に閉塞することはない。
【００２０】
スクリーンが切り替えられた直後に、切換弁は流路を切り替えられる。樹脂は圧力差により出口補助通路を通過し、スクリーンを逆に通過し、スクリーン表面に付着した異物を除去し、排出通路により、外部に排出される。予め設定された洗浄時間が終了すれば、切換弁は元の流路に戻り、少量の樹脂が常に入口補助通路から出口補助通路へスクリーンを通過して流れ、多孔板および通路内の樹脂が滞留で劣化することが防止される。
【００２１】
【発明の実施の形態】
以下、本発明の実施態様を図面に示す一実施例にもとづき説明する。
図３において、押出機シリンダーの先端に位置するケーシング本体１の樹脂通路を直角に貫通して、円柱状（または板状）の摺動棒２が往復手段５たる油圧ピストンシリンダ機構により摺動自在とされる。前記ケーシング本体１の樹脂通路は入口主通路１１と出口主通路１３からなる。前記摺動棒２に複数（図示２個）の中通路２ａが棒の直径を通る直線上に貫通し、長さ方向に間隔を存して設けられ、該中通路２ａに多孔板３とスクリーン４が嵌め込まれている。
【００２２】
さてここで、前記摺動棒２の隣り合う中通路２ａの間隔は、一方中通路２ａが閉鎖される前に他方中通路２ａが開口されるように定められている。
【００２３】
前記ケーシング本体１において、前記入口主通路１１に対し摺動棒２の摺動方向の両側で、前記入口主通路１１から、前記本体１の摺動棒孔の内面に至る入口補助通路１２が設けられる。同様にして前記出口主通路１３に対し、摺動棒２の摺動方向の両側で、前記出口主通路１３から、前記本体１の摺動棒孔の内面に至る出口補助通路１４が設けられる。
【００２４】
また、前記入口補助通路１２から前記本体１の外面に至る排出通路１５が設けられ、これら両通路１２，１５の接続箇所に３方切換弁（またはコック）６が設けられる。
【００２５】
以上において作動状態を説明する。図３の運転状態において、樹脂は入口主通路１１，左の中通路２ａ，スクリーン４，多孔板３，出口主通路１３を通過している。ここで、入口主通路１１と出口主通路１３の部分の圧力差により、樹脂の一部（バイパス流）は入口補助通路１２，３方向切換弁６，右の中通路２ａ，出口補助通路１４を通過し、スクリーン４，多孔板３，中通路２ａの樹脂滞留を防止している。
【００２６】
このとき、スクリーン４が異物により目詰まりした場合は、往復手段５により、摺動棒２を図５に示す位置の左に移動させ、スクリーン４に切り換える。この移動途中（図４）で２個の中通路２ａは主通路１１．１３内に同時に開口するため、樹脂はスクリーン４の両方を同時に通過する。従って、樹脂通路が完全に閉塞することはない。
【００２７】
図５の位置にスクリーン４が切り替えられた直後に、切換弁６は流路を、図６に示す位置に外部の駆動源（または手動）（図示せず）により切り替えられる。樹脂は圧力差により出口補助通路１４を通過し、左のスクリーン４を逆に通過し、スクリーン表面に付着した異物を除去し、排出通路１５により、外部に排出される。
【００２８】
そして、予め設定された洗浄時間が経てば、切換弁６は図５に示す状態に戻り、少量の樹脂（バイパス流）が常に入口補助通路１２から出口補助通路１４へ左のスクリーン４を通過して流れ、多孔板３および通路内の樹脂が滞留で劣化することが防止される。
【００２９】
図７は他の実施例を示し、入口補助通路１４がないので樹脂のバイパス流がなく、スクリーン４に対し樹脂を逆流させて排出させるだけものである。即ち、前記先端本体１において、前記入口主通路１１に対し摺動棒２の摺動方向の両側で、前記本体１の摺動棒孔の内面から前記本体の外面に至る排出通路１５が設けられる。前記出口主通路１３に対し、摺動棒２の摺動方向の両側で、前記出口主通路１３から、前記本体１の摺動棒孔の内面に至る出口補助通路１４が設けられる。そして、前記排出通路１５または前記出口補助通路１４に２方切換弁（またはコック）７とが設けられている。図７の状態で、樹脂の一部は逆流して、出口補助通路１４，右のスクリーン４を通り、排出通路１５から外部へ排出され、スクリーン４は逆洗される。２方切換弁７の流路を切換えれば、通路１４，１５の流れは止まる。
【００３０】
図８は更に他の実施例を示す。即ち、前記出口補助通路１４は、先端本体１の内部を貫通せずに、摺動棒孔の内面に沿って溝状に設けられてもよいし、摺動棒２の中通路２ａ，２ａ間を連通した孔または溝（点線示）が設けられる。
【００３１】
図９，１０は更に他の実施例を示し、入口補助通路１２，出口補助通路１４が摺動棒２の中通路２ａ，２ａ間を連通した溝または孔が設けられ、２方切換弁（またはコック）７が排出通路１５に設けられる。
【００３２】
図９において、樹脂の主流Ｑは入口主通路１１，左の中通路２ａ，出口主通路１３を流れる。微少流（バイパス流）ΔＱは入口補助通路１２，右の中通路２ａ，出口補助通路１４を流れて、右の中通路２ａの滞流を防いでいる。
【００３３】
図１０において、スクリーン４が目詰まりすると、摺動棒２を左へ移動させ、左の弁７を開状態とする。主流Ｑは右の中通路２ａを通り、出口主通路１３から出て行く。同時に、右の中通路２ａよりの微少流ΔＱが圧力差により出口補助通路１４，左の中通路２ａを逆流して、スクリーン４の目詰まり物を排出通路１５を通して、弁７より排出し、洗浄する。そのとき、入口補助通路１２よりの微少流ΔＱも同時に排出されるが、これは主流Ｑに対して極めて微少なる為、性能に影響はない。
【００３４】
洗浄が完了すると、弁７を閉の状態にすると、前記と同様に、入口補助通路１２からの微少流により、左の中通路２ａの滞流を防止する。
【００３５】
右のスクリーン４が目詰まりすると、再び摺動棒２を右に移動して図９状態とし、弁７を開の状態にして前記と同様に洗浄し、その後、弁７の閉により右の中通路２ａに微少流ΔＱを確保する。
【００３６】
図１１において、摺動棒２の中通路２ａは、棒の半径上にほぼ９０度に方向転換する曲線上に貫通して設けられ、これに対応して、入口，出口主通路１１，１３は互いにほぼ９０度に偏位している。このような方向転換角（入口主通路１１と出口主通路１３の開口方向のなす角）は、９０〜１６０度が実用的である。
【００３７】
前記摺動棒２の２組を平行に設けた場合は、常にいずれかの組の中通路が主通路１１，１３に連通する。従って、前記摺動棒２の隣り合う中通路２ａの間隔は、一方中通路２ａが閉鎖される前に他方中通路２ａが開口されるように定められる必要はなく、それより広い間隔であってもよい。
【００３８】
図１２において、前記多孔板３とスクリーン４に代えて、有底濾過筒２０が用いられ、濾過面積の大幅な増大が図られる。有底濾過筒２０は底側を中通路２ａの入口側大径側に位置し、次のように構成される。補強多孔筒２１は直円筒（またはテーパ円筒）を呈し、その外周（または内周，中間）に円筒スクリーン２２が装着される。補強多孔筒２１の一端にネジで取り付けられた底部材２３は、外側中央が外側に凸となっている。案内部材２４は底部材２３の内側の軸線上に突設された先細テーパ棒状を呈する。フランジ部材２５は多孔筒２１の開口側に設けられた円環状を呈し、ケーシング本体１の内面に対向する部分は円柱摺動棒２の外周面に面一となる円筒面を持つ。
【００３９】
摺動棒２の中通路２ａは有底濾過筒２０の底部材側が広いテーパ孔（又は直円筒孔）で、ケーシングの一直線上に入口，出口が位置する。補助通路２ｂと２５ａは摺動棒２と有底濾過筒２０の出口側に設けられる。
【００４０】
流体は有底濾過筒２０の外部から、スクリーン２２と多孔筒２１を通過して内部に入り、案内部材２４に案内されつつ出口１３から出て行く。
【００４１】
図１３はスクリーン２２が多孔筒２１の内周に取り付けられた例である。この場合は、流体は有底濾過筒２０の内側から外側に通過するように、有底濾過筒２０の取付向きが前記の逆となる。或いは、第２の補強多孔筒（図示省略）との間にスクリーン２２を介在させれば、内側、外側のいずれからでも流体を通過させ得る。
【００４２】
図１４，１５，１６は、ケーシング本体１の入口１１（側面に位置）と出口１３（上面に位置）が９０度偏向する場合である。中通路２ａは摺動棒２の直径上断面内で９０度屈曲しており、第２中通路２ａ´が設けられる。２ｂは補助通路である。
【００４３】
前記有底濾過筒２０として、前記実施例のほか、例えば多数の微細空隙（貫通孔）を持つ焼結金属からなるものや、多層の網を有底筒状に成形したものなどが適用される。また、有底濾過筒２０の底に濾過用多孔を設けてもよい。筒体は半球殻状のものも含むものとする。
【００４４】
図１７，１８，１９で、ケーシング本体１において、前記有底濾過筒２０や多孔板３、スクリーン４が逆洗位置に来たときの、逆洗流体の入口側が対向する部分に連通して強制排出手段４０が設けられる。図１７で強制排出手段４０として動力ピストンポンプ４１が設けられ、ピストン４１ａがケーシング本体１の孔内に摺動自在に嵌装され、それが往復駆動手段たる油圧ピストンシリンダ機構４１ｂで往復駆動される。これにより、中通路２ａ、濾過筒２０内の流体は強制的に筒外へ排出され、同時にスクリーン４、２２の付着物が除去され、逆洗される。また、図１８のように、手動ピストンポンプ４２で排出される。ピストン４２ａのピストン棒４２ａがレバー４２ｃの中途でピン結合され、レバー４２ｃの先端はブラケット４２ｄにピン結合される。
【００４５】
また、図１９のように強制排出手段４０として、スクリューポンプ４３が設けられ、スクリュー４３ａが電動回転モータ４３ｂにより回転される。
【００４６】
図２０は複数の有底濾過筒が結合されたものである。複数の有底濾過筒５１はそれらの軸線を互いに平行にして間隔を存して基板５２に取り付けられ、それぞれの有底濾過筒の開口が基板５２の孔に連通する。
【００４７】
本発明は溶融プラスチックのほか、他の液体などの流体用に用いられる。
【００４８】
本発明は前記した実施例や実施態様に限定されず、特許請求の精神および範囲を逸脱せずに種々の変形を含む。
【００４９】
【発明の効果】
本発明の第１，第２構成により、単式スライドの安価な装置により成形装置を停止することなく、スクリーン交換が可能となる。また装置を停止しないので、成形ラインは連続生産でき、生産ロスを低減できる。そのうえ、２方切換弁の操作により、スクリーンは樹脂で洗浄される。有底濾過筒のため、濾過面積が大幅に増加する。
【００５０】
第３，第４，第５，第６構成により第１，第２構成の効果に加え、弁の操作により、常に少量の樹脂が不使用の通路に流れ、樹脂の滞留による変質が防がれる。
【００５１】
第７構成により、第１ないし第６構成のいずれか１構成の効果に加え、中通路の加工が容易である。
【００５２】
第８構成により、第１ないし第６構成のいずれか１構成の効果に加え、流路の方向転換のための別部品が省略できる。
【図面の詳細な説明】
【図１】従来の単式スライドプレート型スクリーン交換装置の縦断面図である。
【図２】従来の複式スライドブロック型スクリーン交換装置の縦断面図である。
【図３】本発明の単式スライドブロック型スクリーン交換装置の縦断面図である。
【図４】図３の作動状態説明図である。
【図５】図３の作動状態説明図である。
【図６】図３の作動状態説明図である。
【図７】本発明の他の実施例の縦断面図である。
【図８】本発明の更に他の実施例の縦断面図である。
【図９】本発明の更に他の実施例の縦断面図である。
【図１０】図９の作動状態説明図である。
【図１１】摺動棒の中通路の他の実施例図である。
【図１２】本発明の他の実施例の縦断面図である。
【図１３】本発明の他の実施例の縦断面図である。
【図１４】本発明の他の実施例の平面図である。
【図１５】図１４の１５−１５縦断面図である。
【図１６】図１４の１６−１６縦断面図である。
【図１７】本発明の強制排出手段の実施例の断面図である。
【図１８】本発明の強制排出手段の他の実施例の断面図である。
【図１９】本発明の強制排出手段の更に他の実施例の断面図である。
【図２０】本発明の有底濾過筒の他の実施例の断面図である。
【符号の説明】
１…ケーシング本体
１１…入口主通路
１２…入口補助通路
１３…出口主通路
１４…出口補助通路
１５…排出通路
２…摺動棒
２ａ…中通路  ２ａ’…第２中通路  ２ｂ…補助通路
３…多孔板
４…スクリーン
５…往復手段
６…３方切換弁
７…２方切換弁
２０…有底濾過筒
２１…補強多孔筒
２２…スクリーン
２３…底部材
２４…案内部材
２５…フランジ部材  ２５ａ…補助通路
４０…強制排出手段
４１…動力ピストンポンプ
４１ａ…ピストン  ４１ｂ…油圧ピストンシリンダ
４２…手動ピストンポンプ
４２ａ…ピストン  ４２ｂ…ピストン棒
４２ｃ…レバー  ４２ｄ…ブラケット
４３…スクリューポンプ
４３ａ…スクリュー  ４３ｂ…電動回転モータ
【図１】
0003604484.tif 000002
【図２】
0003604484.tif 000003
【図３】
0003604484.tif 000004
【図４】
0003604484.tif 000005
【図５】
0003604484.tif 000006
【図６】
0003604484.tif 000007
【図７】
0003604484.tif 000008
【図８】
0003604484.tif 000009
【図９】
0003604484.tif 000010
【図１０】
0003604484.tif 000011
【図１１】
0003604484.tif 000012
【図１２】
0003604484.tif 000013
【図１３】
0003604484.tif 000014
【図１４】
0003604484.tif 000015
【図１５】
0003604484.tif 000016
【図１６】
0003604484.tif 000017
【図１７】
0003604484.tif 000018
【図１８】
0003604484.tif 000019
【図１９】
0003604484.tif 000020
【図２０】
0003604484.tif 000021